(57)【要約】【課題】簡易に設置および撤去できるフェンスに用いられる支柱ユニットを提供する。【解決手段】支柱ユニット１０は、基台１２と、支柱１４と、ネジ１６とを有する。基台１２の上面１２ａには、縦穴１８が設けられている。基台１２の側面１２ｂには、縦穴１８に通じる横穴２０が設けられている。基台１２は、縦穴１８および横穴２０が露出するように設置される。支柱１４の下面１４ａには、縦穴１８に嵌め込まれる突起２２が設けられている。突起２２の側面２２ａには、ネジ穴２４が設けられている。縦穴１８に突起２２が嵌め込まれ、横穴２０とネジ穴２４とが連通した状態で、ネジ１６が横穴２０を通過してネジ穴２４にねじ込まれる。ネジ穴２４にねじ込まれたネジ１６によって、基台１２と支柱１４とが固定される。【選択図】図１
0003183001.tif 000002
【実用新案登録請求の範囲】
【請求項１】
縦穴が上面に、前記縦穴に通じる横穴が側面にそれぞれ設けられ、前記縦穴および前記横穴が露出するように設置される基台と、
前記縦穴に嵌め込まれる突起が下面に設けられた支柱と、
前記縦穴に前記突起が嵌め込まれた状態で、前記横穴に取り外せるように差し込まれて前記基台と前記支柱とを固定するピンと、
を有する支柱ユニット。
【請求項２】
請求項１において、
前記ピンはネジであり、
前記突起の側面にはネジ穴が設けられ、
前記ネジが前記横穴を通過してネジ穴にねじ込まれる支柱ユニット。
【請求項３】
下面に突起を備える支柱が設置される基台であって、
上面に設けられ、前記突起が嵌め込まれる縦穴と、
側面に設けられ、前記穴に通じる横穴と、
前記縦穴に前記突起が嵌め込まれたときに、前記横穴に取り外せるように差し込まれて前記基台と前記支柱とを固定するためのピンと、
を有する基台。
【請求項４】
請求項３において、
前記上面を覆うキャップをさらに有する基台。
【考案の詳細な説明】
【技術分野】
【０００１】
本考案は、フェンスに用いられる支柱を含む支柱ユニット、およびこの支柱ユニットを構成する基台に関するものである。より詳しくは、簡易に設置および撤去できるフェンスに用いられる支柱ユニットおよび基台に関するものである。
【背景技術】
【０００２】
支柱の間に横板、縦板、または金網等を設けたフェンスが、敷地と道路の境界に設置されている。道路に降り積もった雪を除去する場合、敷地の外周に設けられたフェンスとの接触を避けるため、除雪車が道路の端まで寄れない。このため、道路の端に積雪が残ってしまう。フェンスがなければ、除雪車を用いて道路の端まで除雪できる。このため、積雪地域では、冬季には簡単に撤去でき、春季から秋季には簡単に設置できるフェンスの実用化が望まれている。
【考案の概要】
【考案が解決しようとする課題】
【０００３】
本考案はこのような事情に鑑みてなされたものであり、簡易に設置および撤去できるフェンスに用いられる支柱ユニットと、この支柱ユニットを構成する基台を提供することを目的とする。
【課題を解決するための手段】
【０００４】
本考案の支柱ユニットは、縦穴が上面に、縦穴に通じる横穴が側面にそれぞれ設けられ、縦穴および横穴が露出するように設置される基台と、縦穴に嵌め込まれる突起が下面に設けられた支柱と、縦穴に突起が嵌め込まれた状態で、横穴に取り外せるように差し込まれて基台と支柱とを固定するピンと、を有する。本考案の支柱ユニットにおいて、ピンはネジであり、突起の側面にはネジ穴が設けられ、ネジが横穴を通過してネジ穴にねじ込まれることが好ましい。
【０００５】
本考案の基台は、下面に突起を備える支柱が設置される基台であって、上面に設けられ、突起が嵌め込まれる縦穴と、側面に設けられ、穴に通じる横穴と、縦穴に突起が嵌め込まれたときに、横穴に取り外せるように差し込まれて基台と支柱とを固定するためのピンと、を有する。本考案の基台において、上面を覆うキャップをさらに有していてもよい。
【考案の効果】
【０００６】
本考案によれば、フェンスが簡易に設置および撤去できる。
【図面の簡単な説明】
【０００７】
【図１】本考案の実施形態に係る支柱ユニットの分解斜視図である。
【図２】本考案の実施形態に係る支柱ユニットの側面図である。
【図３】図２に示す支柱ユニットのＡ−Ａ線断面図である。
【図４】本考案の実施形態に係るフェンスの組み立て工程を示す側面図である。
【図５】本考案の実施形態に係るフェンスの組み立て工程を示す正面図である。
【図６】本考案の実施形態に係る基台の正面図である。
【考案を実施するための形態】
【０００８】
以下、本考案の支柱ユニットについて、図面を参照しながら実施形態に基づいて説明する。なお、本考案の基台は、本考案の支柱ユニットの構成部材として支柱ユニットともに説明する。図面は、支柱ユニット、支柱ユニットを構成する部材、および支柱ユニットの周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係る支柱ユニット１０の分解斜視図である。図２は、支柱ユニット１０を組み立てた状態を示す図である。図３は、図２に示す支柱ユニット１０のＡ−Ａ線断面を示す断面図である。支柱ユニット１０は、フェンスの構成部材として用いられる。支柱ユニット１０は、基台１２と、支柱１４と、ピンであるネジ１６とを備える。
【００１０】
基台１２は、図１に示すように、円筒と直方体とを含む形状、すなわち、直方体に円筒を差し込んだような形状を有している。基台１２は、上面１２ａにこの円筒の芯である縦穴１８が設けられている。また、基台１２の側面１２ｂには、縦穴１８より径が小さくネジ１６より径が大きい横穴２０が設けられている。横穴２０は、縦穴１８に通じている。基台１２は、フェンスを組み立てた状態で、縦穴１８および横穴２０が露出するように設置される。
【００１１】
支柱１４は、図２に示すように、基台１２の上に設置して使用する。支柱１４は、図１に示すように、一つの側面に溝１４ａが形成された直方体状の形状を有しており、縦穴１８に嵌め込まれる突起２２を下面１４ｂに備える。基台１２の縦穴１８に、支柱１４の突起２２を嵌め込むことによって、基台１２に支柱１４を設置する。詳細は後述するが、溝１４ａはフェンスの横板を嵌め込むためのものである。本実施形態では、円筒形の金属管の片方の端部を除いた周囲を樹脂で固めて支柱１４を構成している。この樹脂で覆われていない金属管の部分が突起２２となっている。本実施形態とは異なり、樹脂製または木製等の柱の下面に突起を取り付けて支柱を構成してもよいし、樹脂等で突起を含む支柱を一体成形して支柱を構成してもよい。
【００１２】
突起２２の側面２２ａには、ネジ１６に対応するネジ穴２４が設けられている。縦穴１８に突起２２を嵌め込み、横穴２０とネジ穴２４とが連通した状態で、基台１２の側面１２ｂに設けられた横穴２０からネジ１６を差し込んでネジ穴２４まで到達させ、ネジ穴２４にネジ１６をねじ込み、基台１２と支柱１４とを固定する。本実施形態では、横穴２０がネジ１６の径より大きな穴であるが、横穴２０がネジ１６に対応するネジ穴であってもよい。この場合、ネジ１６は、横穴２０とネジ穴２４にねじ込まれるので、基台１２と支柱１４との固定が強化される。
【００１３】
つぎに、支柱ユニット１０を含むフェンス４０の組立方法について説明する。図４および図５は、フェンス４０の組み立て工程を説明するための図で、図４が側面図であり、図５が正面図である。まず、図４（ａ）に示すように、縦穴１８および横穴２０が露出するように基台１２を設置する。このとき、基台１２の下方の円筒部はコンクリート等で地中に固定される（不図示）。つぎに、図４（ｂ）に示すように、突起２２を縦穴１８に嵌め込んで、ネジ穴２４と横穴２０とが連通するように支柱１４を基台１２に設置する。そして、図４（ｃ）に示すように、ネジ１６を横穴２０に差し込んでからネジ穴２４にねじ込んで、突起２２を縦穴１８に、すなわち、支柱１４を基台１２に固定する。こうして、フェンス４０の一端となる支柱ユニット１０の組み立てが完成する。
【００１４】
同様にして、図５（ａ）に示すように、フェンス４０のもう一方の端となる支柱ユニット５０を、２つの支柱１４，５４の溝１４ａ，５４ａが向き合うように組み立てる。つぎに、図５（ｂ）に示すように、上方への突起７０ａ，７０ｂを両端に有する複数の横板７０を溝１４a，５４ａに嵌め込んでいく。突起７０ａ，７０ｂは、溝１４a，５４ａに隠れるため、フェンス４０を組み立てた後は見えなくなる。突起７０ａ，７０ｂがあるために複数の横板７０の間に隙間ができ、この隙間から採光や通風ができる。そして、図５（ｃ）に示すように、支柱１４，５４の上面にキャップ７２，７４を装着する。こうして、フェンス４０の組み立てが完成する。
【００１５】
つぎに、フェンス４０の撤去方法について説明する。図６は、フェンス４０が撤去されて、基台１２が残された状態を示す図である。フェンス４０の撤去は、基本的にフェンス４０の設置と逆の手順で行う。すなわち、まずキャップ７２，７４を支柱１４，５４から取り外す。つぎに、全ての横板７０を溝１４a，５４ａから抜き取る。そして、ネジ１６，５６を基台１２，５２から取り外し、基台１２，５２から支柱１４，５４を引き抜く。つぎに、図６に示すように、基台１２をキャップ８２で覆う。同様に、基台５２もキャップで覆う（不図示）。なお、キャップ８２をキャップ７２と兼用してもよいし、キャップ７２，８２が同じキャップであってもよい。
【００１６】
このように、常設される基台１２，５２と、着脱可能な支柱１４，５４および横板７０とを備えるフェンス４０なので、例えば季節に応じて、フェンス４０の設置および除去が容易にできる。また、常設される基台１２をキャップ７２で覆うので、フェンス４０を撤去して基台１２を残した状態でも、基台１２の劣化がほとんどない。基台５２についても同様である。このため、不具合なく次回のフェンス４０を設置することが可能となる。
【００１７】
以上、実施形態に基づいて本考案の支柱ユニットと基台を説明したが、本考案の支柱ユニットと基台は上記実施形態に限定されない。すなわち、上記実施形態では基台と支柱とを固定するピンがネジであったが、本考案の支柱ユニットでは、取り外せるように基台の横穴に差し込むことができれば、ピンはネジ以外、例えば、円柱形状のピン、角柱形状のピン、または先端が膨らんだピン等であってもよい。
【００１８】
また、上記実施形態では突起の側面にネジ穴が設けられていたが、本考案の支柱ユニットでは、突起の側面に単なる穴を設けてもよい。また、突起の側面にネジ穴に代えて、突起の側面に溝を設けて、基台の側面の横穴から差し込んだピンをこの溝に装着することによって基台と支柱を固定してもよい。この場合、ピンの先端を溝に密着するような形状、例えば円弧形状等にしておけば、より好ましい。また、キャップの側面にもネジ穴を設け、基台の側面の上部と上面をキャップで覆った後、このキャップの側面のネジ穴にネジを差し込んで縦穴まで貫通させることによって、キャップを基台に固定してもよい。
【符号の説明】
【００１９】
１０，５０  支柱ユニット
１２，５２  基台
１４，５４  支柱
１６  ネジ
１８  縦穴
２０  横穴
２２  突起
２４  ネジ穴
４０  フェンス
７０  横板
７２，７４，８２  キャップ
【図１】
0003183001.tif 000003
【図２】
0003183001.tif 000004
【図３】
0003183001.tif 000005
【図４】
0003183001.tif 000006
【図５】
0003183001.tif 000007
【図６】
0003183001.tif 000008